(57)【特許請求の範囲】
【請求項１】
音符が記された五線譜に、各小節の演奏に必要とされるオクターブに相当する鍵盤を図示した鍵盤図を併記した楽譜であって、前記鍵盤図には、前記五線譜に記載された前記音符の打鍵位置を示すマークが記載されるとともに、演奏に必要とされるオクターブを示す記号が小節ごとに記載されていることを特徴とする楽譜。
【発明の詳細な説明】
【技術分野】
【０００１】
本発明は、鍵盤楽器を演奏する場合に、五線譜と呼ばれる楽譜に加え、鍵盤を示した図面を用いることで演奏習得を容易にするための楽譜の表記方法に関するものである。
【背景技術】
【０００２】
ピアノやオルガン、シンセサイザーに代表さえる鍵盤楽器では、ト音記号やヘ音記号と呼ばれる記号がつけられた五線譜で構成された楽譜の内容を、演奏者が理解し、楽譜上の音符が意図している鍵盤楽器の鍵盤位置を押すことで演奏されている。
【０００３】
このような楽譜は、楽曲のもつ音程、リズム、強弱など詳細な情報をすべて網羅しているため、長年にわたり利用されてきた。現代のように音楽を機械的、または電子的に録音、再生する技術が存在しなかった時代は、この楽譜に記載された情報のみが楽曲を再現する唯一の方法となっており、この情報を読み取ることで、過去に視聴経験が無い楽曲であっても、楽譜を読み取る能力と演奏能力があれば楽曲を演奏し再現することが可能となっていた。
【０００４】
この為、楽譜には多くの情報が網羅されているが、これを理解し演奏することは、鍵盤楽器の学習及び練習経験の無い初級者には困難であり、初級者は、簡単な楽曲から時間をかけて学習、練習を積み重ねることで、徐々に楽譜を読み取る能力が高まり、長年の時間と労力をかけることで鍵盤楽器が演奏できるようになる。
【０００５】
現代では、音楽の録音、再生技術も発達し、多くの人々が多くの楽曲をいつでも自由に繰り返し視聴することが可能となっている。音楽理論や時間をかけた学習を経ることなく好きな楽曲を演奏したいと考える利用者は多いが、楽譜を読み取り演奏するのは困難なため、特に鍵盤楽器については、習得が困難と考えられている。
【０００６】
ギター演奏用の楽譜としては、図７に示すようなタブ（ＴＡＢ）譜と呼ばれる表記方法が一般的に広く利用されている。タブ譜では、五線譜に対比するように一般的なギターの６つの弦に対応する６本の横線が上下に併記れている。この６本の横線は、上部から下部にかけてギターの１弦、２弦、３弦、４弦、５弦、６弦にそれぞれ対応しており、この表記方法はタブ譜を正面に置き、演奏者がギターを構えた場合、６本の弦とタブ譜の６本の線が水平、垂直に視覚的に違和感なく表記されているため、直感的に演奏しやすい情報を提供しており、音楽理論やコードと呼ばれる和音の考え方等を学ばなくても楽曲の演奏を容易にしている。
【０００７】
また先にも記載したように、現代では音楽の録音、再生技術が発達している為、演奏者の多くは、演奏対象の楽曲について過去に視聴経験があり、かつ、楽器の奏でる音程やリズムは記憶している事も多い。この為、従来の楽譜に記載されている、音程、リズムをはじめとした詳細な情報は重要ではなく、楽曲のどの場面の音は、ギターであれば、何番目の弦の何番目のフレット位置を押さえれば再現できるかという情報があれば、演奏者は独学でギターの演奏が可能となっている。この為、音楽教育やギターの本格的な教育を受けていなくてもギターが演奏できるという人を増やすことについて、タブ譜は大いに貢献していると言える。
【０００８】
鍵盤楽器についても演奏をしやすくする為の技術や楽譜表記方法はこれまでも多く提案されている。これら従来の技術や楽譜表記方法は、色や記号を用いることで楽譜に記載された音符が意図する鍵盤の位置を理解しやすくしているものも多いが、その多くは、２つの特徴がある。
【０００９】
第一の特徴は、色や記号を用いたとしても、楽譜と、色や記号、さらに鍵盤の位置という３つの要素を逐次変換する必要があるため、直感的に理解しづらい要素を有している。
【００１０】
第二の特徴は、楽譜の音符のなかでも特に複数音を構成する和音は、楽譜の上では垂直方向である縦に並んでいる。さらに、色や記号を用いて図式された表記方法は、鍵盤が水平方向である横方向に並んでいるものが多く、楽譜に表記された音符と鍵盤が角度で９０度ずれているため、ここでも逐次変換する必要があり、直感的に理解しやすいとはいえないものが多い。
【００１１】
先に記載したギター用の楽譜であるタブ譜は、楽譜上の音符とタブ譜上に並ぶ各弦を押す位置を示した数字に加え、演奏者がギターを構え、弦を押すための部分であるフレットまでもが垂直方向である縦一直線に記載されており、角度を変換して理解する必要が無い点も広く普及する理由になっていると考える。
【００１２】
しかし、鍵盤楽器を演奏する際の楽譜と鍵盤の関係を見ると、楽譜上の音符は上下の関係である縦に並んでおり、演奏者から見た鍵盤は左右の関係である横に水平で並んでいるため、初心者にとっては直感的に把握しづらい表記方法となっている。
【００１３】
この為、初心者にも演奏を容易できる環境を提供するには、楽譜よりもさらに直感的に鍵盤楽器の鍵盤の打鍵位置を把握できる形式の楽譜が必要である。
【先行技術文献】
【特許文献】
【００１４】
【特許文献１】特開２００５−１２８４６１号公報
【特許文献２】特開２０１０−２６６７５８号公報
【特許文献３】特開２０１１−４３７８１号公報
【発明の概要】
【発明が解決しようとする課題】
【００１５】
本発明が解決しようとする問題点は、鍵盤楽器を演奏する上で五線譜と呼ばれる通常の楽譜では、初級者が鍵盤楽器を学習、演奏するのが困難な点である。
【課題を解決するための手段】
【００１６】
図１に示すように、鍵盤楽器の鍵盤を１オクターブ毎にグループ分けする。中央のドから始まる右方向へ７つの白鍵とその間にある５つの黒鍵を１つのグループとし、この中央のグループを英語表記ではＣグループ、日本語表記では中グループと設定する。
鍵盤中央のＣグループを中心に、右側のグループもそれぞれ１オクターブ毎に分類し、英語表記であればＲ１、Ｒ２、Ｒ３、Ｒ４と明記し、中央Ｃグループの左側についてもそれぞれ、Ｌ１、Ｌ２、Ｌ３、Ｌ４と明記し、これらを以降では鍵盤図と呼ぶ。
【００１７】
上記のとおりグループ分けした鍵盤図を図２に示すように左向きに９０度倒し、鍵盤のグループ名を表記して必要なグループのみ部分表記することで、楽譜と平行に並べ、楽譜と鍵盤図を上下に平行して記載する。さらに楽譜上の音符が鍵盤上のどの位置を示しているかについて、鍵盤図上に該当する鍵盤の位置を丸印などで図示する。
【００１８】
鍵盤楽器の演奏を、右手と左手の両方で演奏する必要があるような楽譜については、図３で示すように鍵盤図についても必要に応じて２段表記にすることで、鍵盤図の上段は右手用、鍵盤図の下段は左手用の打鍵位置を表示する。
【００１９】
初級者に対しては、鍵盤上の打鍵位置のみならず、楽譜に示された連続する音符を、どの指で押さえるべきかについて、図４に示すように、鍵盤図上に打鍵位置に加え、どの指で打鍵するかについても図５にあるような文字を用いて表記する。
【００２０】
さらに、この楽譜と鍵盤図を右に９０度回転させることにより、縦向き表記の楽譜とすることで、演奏者は、楽譜と鍵盤図が、実際の鍵盤と同じ左右に水平となる角度で視認できるようにする事で、角度変換をする必要が無くなる為、鍵盤上の打鍵位置を直感的且つ容易に把握できるようになる。
【００２１】
また、図３にある符号１が示しているのは、鍵盤図上で示す鍵盤位置を示すグループが移動する場合に、ＣグループからＲ１グループへ、鍵盤グループの位置が変更されていることを理解しやすくするために用いている線である。
【発明の効果】
【００２２】
本発明により、楽譜に記載された音符が鍵盤上のどの位置の鍵盤を打鍵するかを並列して記載することで、楽譜を読み取る知識が無い演奏者でも、直接的に鍵盤の打鍵位置を理解し、容易に鍵盤楽器の演奏を独習し演奏することが可能となる。
【００２３】
また、楽器固有の特徴を生かし、楽譜やタブ譜と実際の楽器の操作位置を角度の差無く表記することによって、直感的且つ容易に理解しやすさを高める要素も用いた。これにより鍵盤楽器用の縦型の楽譜に併記した鍵盤図を提供することで、タブ譜が広まる要因となったのと同様の理解しやすさを提供することが可能となる。
【図面の簡単な説明】
【００２４】
【図１】鍵盤楽器の鍵盤を１オクターブ毎に分類表記した図である。
【図２】鍵盤楽器の鍵盤を１オクターブ毎に分類表記した際に用いるグループ分類記号を英語および日本語で表記した例。
【図３】上段に楽譜、下段に鍵盤図を並列表記し、楽譜上の音符が示す音程を出す際に打鍵する必要のある鍵盤位置を鍵盤図上に丸印で示した図面である。
【図４】上段に楽譜、下段に鍵盤図を並列表記し、鍵盤上で右手、左手の両方で演奏する必要がある場合にあわせて、鍵盤図を２段に表記した図面である。
【図５】初級者向けに、鍵盤を打鍵する指を指定する必要がある場合に、どの指でどの鍵盤を打鍵するかについて示した図面である。
【図６】どの指で鍵盤のどの位置を打鍵する必要があるかを指定する必要がある場合に、親指から小指までを英語および日本語で表記した例。
【図７】ギター演奏用に用いられるタブ譜。
【図８】右手または左手一方で利用する場合の楽譜と鍵盤図を縦表記で記載した図面である。
【図９】右手および左手の両方で利用する場合の楽譜と鍵盤図を縦表記で記載した図面である。
【発明を実施するための形態】
【００２５】
図９に示すように、五線譜に鍵盤図を併記した形式の楽譜を用いて、楽曲を演奏するために必要な内容を紙面に印刷し、鍵盤楽器の演奏者が閲覧しながら練習または演奏を行う。また、パーソナルコンピューターをはじめとした電子機器に表示し、表示された内容を閲覧しながら練習または演奏を行う。
【実施例１】
【００２６】
本発明により作成され紙面に印刷された五線譜と鍵盤図を併記した形式の楽譜を、鍵盤楽器の演奏者が閲覧しやすい位置に置き、練習または演奏したい項目を閲覧しながら利用する。
【実施例２】
【００２７】
本発明により作成された五線譜と鍵盤図を併記した形式の楽譜を、パーソナルコンピューターをはじめとした電子機器で表示し、鍵盤楽器の演奏者が閲覧しやすい位置に置き、練習または演奏したい項目を閲覧しながら利用する。
【産業上の利用可能性】
【００２８】
本発明による直感的で把握しやすい表記方法の楽譜を提供することで、鍵盤楽器を演奏したいという初級者に対して、独学、独習の機会を提供することを可能とする。
【符号の説明】
【００２９】
１  鍵盤図上のオクターブのグループが変更になる際に判断しやすくするための補助線である。
【図１】
0005990152.tif 000002
【図２】
0005990152.tif 000003
【図３】
0005990152.tif 000004
【図４】
0005990152.tif 000005
【図５】
0005990152.tif 000006
【図６】
0005990152.tif 000007
【図７】
0005990152.tif 000008
【図８】
0005990152.tif 000009
【図９】
0005990152.tif 000010